(57)【要約】【課題】小型化を図りつつ安定して開閉動作させる開閉装置を提供する。【解決手段】装置本体２に固定されるスタンド11L,11Rと、スタンド11L,11Rに回転可能に軸承されると共に開位置と閉位置との間で回転するベースプレート20と、表示部3に固定される共にベースプレート20にスライド可能に配設されておりベースプレート20と重なる第１の位置とベースプレート20から突出する第２の位置との間でスライドするスライドプレート30と、スライドプレート30をスライド方向に付勢するスプリング40と、ベースプレート20が閉位置にある時に60L,60Rと係合ピン70L,70Rが係合することによりベースプレート20及びスライドプレート30の移動を規制する移動規制機構と、スライドプレート30が閉位置に移動する時にその移動に伴いスライドプレート39を元の位置に向け移動するよう案内する案内機構(傾斜面63L,63R、係合ピン70L,70R)とを設ける。【選択図】  図３
2014085645.tif 000002
【特許請求の範囲】
【請求項１】
スタンドと、
該スタンドに回転可能に軸承されており、閉位置と開位置との間で回転するベースプレートと、
前記ベースプレートにスライド可能に配設されており、前記ベースプレートと重なる第１の位置と、前記ベースプレートから突出する第２の位置との間でスライドするスライドプレートと、
前記スライドプレートを前記ベースプレートに対してスライド方向に付勢する付勢手段と、
前記スタンド又は前記スライドプレートのいずれか一方に設けられた第１の部材と、前記スタンド又は前記スライドプレートのいずれか他方に設けられた第２の部材とにより構成されており、前記ベースプレートが閉位置にある時に前記第１の部材と第２の部材が係合することにより、前記スタンドに対する前記ベースプレートの移動と、前記ベースプレートに対する前記スライドプレートの移動を規制する移動規制機構と、
前記ベースプレートが開位置から閉位置に移動する時、当該移動に伴い前記スライドプレートを前記第２の位置から前記第１の位置に向け移動付勢する移動付勢機構と、
を有することを特徴とする開閉装置。
【請求項２】
前記移動付勢機構は、
前記スタンド又は前記スライドプレートのいずれか一方に設けられたカムと、
前記スタンド又は前記スライドプレートのいずれか他方に設けられ、前記カムと係合することにより前記スライドプレートを前記第２の位置から前記第１の位置に向け移動付勢する移動付勢部材とを有することを特徴とする請求項１に記載の開閉装置。
【請求項３】
前記第１の部材は係合凸部であり、
前記第２の部材は前記係合凸部と係合する係合凹部を有する係合部材であることを特徴とする請求項１又は２に記載の開閉装置。
【請求項４】
前記カムを樹脂成形品とし、前記前記スタンド又は前記スライドプレートのいずれか一方に固定したことを特徴とする請求項２記載の開閉装置。
【請求項５】
前記カムを前記前記スタンド又は前記スライドプレートのいずれか一方に一体的に形成したことを特徴とする請求項２記載の開閉装置。
【請求項６】
前記係合凸部は前記スタンド又は前記スライドプレートのいずれか一方に固定されたピン部材であることを特徴とする請求項３記載の開閉装置。
【請求項７】
前記係合凸部を前記スタンド又は前記スライドプレートのいずれか一方に一体的に形成したことを特徴とする請求項３記載の開閉装置。
【発明の詳細な説明】
【技術分野】
【０００１】
本発明は開閉装置に係り、第１及び第２の筐体を開閉するのに用いる開閉装置に関する。
【背景技術】
【０００２】
従来より、デジタルカメラ、ビデオカメラ、携帯電話機等の電子装置では、撮影した画面を確認するために液晶ディスプレイ等を装置本体に組み込んだ構成のものが知られている。また、種々の角度から液晶ディスプレイを見ることを可能とするため、表示部を装置本体に対して移動可能な構成とした電子装置も提供されている。
【０００３】
この種の電子装置は、通常時においては表示部は装置本体の背面に収納され、この収納状態で表示部の液晶ディスプレイを視認できる構成となっている。また、撮影位置等の撮影条件によっては、表示部が収納状態では液晶ディスプレイを視認できない場合が生じる。このような場合には、表示部を装置本体から移動させ、これにより上記のような撮影条件であっても、表示部を視認できるよう構成されている。
【０００４】
ところで近年、デジタルカメラ等の電子装置で自分自身を撮影すること（いわゆる自分撮り）が行われるようになってきている。このような場合、表示部が装置本体の背面に収納された状態では、装置本体の前方に位置している撮影者は液晶ディスプレイを視認することができない。このため、撮影者が装置本体の前方に位置していても、液晶ディスプレイを視認できる位置まで表示部を移動できるように構成された電子装置が提供されている（特許文献１）。
【先行技術文献】
【特許文献】
【０００５】
【特許文献１】特開２００６−１３８９５９号公報
【発明の概要】
【発明が解決しようとする課題】
【０００６】
しかしながら、液晶ディスプレイが配設された表示部は比較的大きな厚さを有するため、表示部を装置本体に対して回転軸を中心に単に回転させる構成では、表示部及び装置本体の回転軸に近い側のコーナー部同士が回転に伴い当接してしまう。
【０００７】
また、開閉機構が搭載される電子装置は、デザイン性の向上を図る点から表示部と装置本体を接続するヒンジを外部から見えないようにすることが望まれている。この場合、上記の問題は特に重要となる。
【０００８】
また、この当接を回避するために特許文献１に開示されているように、表示部と装置本体との間に二軸平行ヒンジを用いることが考えられる。しかしながら、二軸ヒンジを用いた構成では、二つの回転軸を有するため表示部の移動動作が不安定になり、またその開閉動作も二つの動作を含む２アクションの動作となり操作性が悪いという問題点があった。る。
【０００９】
本発明は上記の点に鑑みてなされたものであり、小型化を図りつつ第１の筐体と第２の筐体を安定して開閉動作させうる開閉装置を提供することを目的とする。
【課題を解決するための手段】
【００１０】
上記の課題は、第１の観点からは、
スタンドと、
該スタンドに回転可能に軸承されており、閉位置と開位置との間で回転するベースプレートと、
前記ベースプレートにスライド可能に配設されており、前記ベースプレートと重なる第１の位置と、前記ベースプレートから突出する第２の位置との間でスライドするスライドプレートと、
前記スライドプレートを前記ベースプレートに対してスライド方向に付勢する付勢手段と、
前記スタンド又は前記スライドプレートのいずれか一方に設けられた第１の部材と、前記スタンド又は前記スライドプレートのいずれか他方に設けられた第２の部材とにより構成されており、前記ベースプレートが閉位置にある時に前記第１の部材と第２の部材が係合することにより、前記スタンドに対する前記ベースプレートの移動と、前記ベースプレートに対する前記スライドプレートの移動を規制する移動規制機構と、
前記ベースプレートが開位置から閉位置に移動する時、当該移動に伴い前記スライドプレートを前記第２の位置から前記第１の位置に向け移動付勢する移動付勢機構と、
を有することを特徴とする開閉装置により解決することができる。
【発明の効果】
【００１１】
開示の開閉装置によれば、開閉装置が搭載される電子装置の開閉処理を安定して行わせることができる。また、ベースプレートの閉位置への移動に伴い、１アクションでスライドプレートはスライド前の第１の位置に向け自動的に移動するため、操作性の向上を図ることができる。
【図面の簡単な説明】
【００１２】
【図１】図１は、本発明の一実施形態である開閉装置の分解斜視図である。
【図２】図２（Ａ）は本発明の一実施形態である開閉装置の閉状態を示す斜視図であり、図２（Ｂ）は本発明の一実施形態である開閉装置が設けられた電子装置の閉状態を示す斜視図である。
【図３】図３（Ａ）は本発明の一実施形態である開閉装置の開状態を示す斜視図であり、図３（Ｂ）は本発明の一実施形態である開閉装置が設けられた電子装置の開状態を示す斜視図である。
【図４】図４は、本発明の一実施形態である開閉装置の動作を説明するための側面である。
【図５】図５は、本発明の一実施形態である開閉装置が設けられた電子装置の動作を説明するための側面である。
【図６】図６は本発明の一実施形態である開閉装置の閉状態におけるカム部材の近傍を拡大しており、図６（Ａ）は係合ピンとカム部材が係合した状態を示す斜視図、図６（Ｂ）は係合ピンとカム部材の係合が開示された状態を示す斜視図である。
【図７】図７は、本実施形態の変形例である開閉装置を示す斜視図である。
【発明を実施するための形態】
【００１３】
次に、本発明の実施の形態について図面と共に説明する。
【００１４】
図１〜図３は、本発明の一実施形態である開閉装置１０を説明するための図である。図１は開閉装置１０の分解斜視図であり、図２は閉状態における開閉装置１０及びこれを設けた電子装置１の斜視図であり、図３は開状態における開閉装置１０及びこれを設けた電子装置１の斜視図である。
【００１５】
本実施形態に係る開閉装置１０は、例えば図２（Ｂ）及び図３（Ｂ）に示すような電子装置１に設けられ、装置本体２に対して表示部３を開閉移動させる機能を奏するものである。
【００１６】
まず、開閉装置１０の説明に先立ち、開閉装置１０が設けられる開閉装置１０について説明する。本実施形態では、電子装置１としてデジタルカメラを例に挙げて説明する。なお、本発明の適用は、デジタルカメラに限定されるものではなく、ビデオカメラ、携帯電話機等の装置本体２に対して可動部（例えば表示部３）を有する電子装置に広く適用できるものである。
【００１７】
電子装置１は、大略すると装置本体２（請求項に記載の第１の筐体に相当する）と表示部３（請求項に記載の第２の筐体に相当する）とにより構成されている。図２（Ｂ）及び図３（Ｂ）は電子装置１の背面側を示しており、この背面側には表示部３及びスイッチ６等が設けられている。また電子装置１の正面側には、撮影を行うための撮像レンズ等（図示せず）が配設されている。
【００１８】
表示部３は液晶ディスプレイ５を有しており、よって撮像レンズを介して取り込まれた画像は、液晶ディスプレイ５に表示される。よって撮影者は、この液晶ディスプレイ５により撮影しようとする画面を確認することができる。この表示部３は、一般的な撮影を行う時は、図２（Ｂ）に示すように表示部３の表示部収納部４内に収納されており、よって表示部３と装置本体２は一体化した状態となっている。なお、電子装置１及び開閉装置１０の表示部３が表示部収納部４内に収納された状態を閉状態というものとする。
【００１９】
ところで、前記のように近年では電子装置で自分自身を撮影すること（いわゆる、自分撮り）が行われるようになってきており、電子装置１及び開閉装置１０はこれに対応した構成となっている。具体的には、表示部３は開閉装置１０により装置本体２に対して図中Ａ１，Ａ２方向に移動（回転）可能な構成とされている。図３（Ｂ）は、装置本体２に対して表示部３を開いた状態を示している。なお、電子装置１及び開閉装置１０の装置本体２に対して表示部３を開いた状態を開状態というものとする。
【００２０】
この開状態では、装置本体２に設けられた撮像レンズ及び液晶ディスプレイ５はいずれも正面側に位置した状態となっている。よって、いわゆる自分撮りを行う場合、撮影者は自己を液晶ディスプレイ５で確認しながら撮影を行うことが可能となる。
【００２１】
次に、開閉装置１０の構成について説明する。開閉装置１０は、スタンド１１Ｌ，１１Ｒ、ベースプレート２０、スライドプレート３０、スプリング４０、ヒンジ機構５０Ｌ，５０Ｒ、及び係合ピン７０Ｌ，７０Ｒ等を有している。なお、左右方向（図中Ｘ１，Ｘ２方向）に対称に配置される構成要素については、右側（Ｘ１方向側）に位置するものに符号に「Ｒ」を添記し、左側（Ｘ２方向側）に位置するものに符号に「Ｌ」を添記して示すものとする。
【００２２】
スタンド１１Ｌ，１１Ｒは金属板材をプレス成型したものであり、固定部１２Ｌ，１２Ｒと立設部１３Ｌ，１３Ｒが一体的に形成された構成とされている。固定部１２Ｌ，１２Ｒは、ネジ等を用いて装置本体２に固定される（図３（Ｂ）参照）。また、立設部１３Ｌ，１３Ｒは、その一端部に後述するヒンジピン５１Ｌ，５１Ｒが装着される軸孔１４Ｌ，１４Ｒが形成されると共に、他端部に係合ピン７０Ｌ，７０Ｒが固定されるピン固定孔１５Ｌ，１５Ｒが形成されている。この立設部１３Ｌ，１３Ｒは、固定部１２Ｌ，１２Ｒを中心としてＹ１，Ｙ２方向に延出した形状とされている。
【００２３】
ベースプレート２０は金属板材をプレス成型したものであり、ベース本体部２１、ガイドレール部２２Ｌ，２２Ｒ、アーム部２３Ｌ，２３Ｒ等を一体的に形成した構成とされている。ベース本体部２１は略長方形状を有しており、その短辺側の両側縁にはガイドレール部２２Ｌ，２２Ｒが形成されている。
【００２４】
また、ベース本体部２１の短辺側の両側縁でＹ２方向側の端部には、アーム部２３Ｌ，２３Ｒが形成されている。このアーム部２３Ｌ，２３Ｒは、側面視でＬ字形状を有し、一端部がベース本体部２１に一体的に接続され、他端部にヒンジピン５１Ｌ，５１Ｒが挿通される軸孔２４Ｌ，２４Ｒが形成されている。
【００２５】
また、ベース本体部２１の略中央位置には、スプリング４０（請求項に記載の付勢手段に相当する）が配設される。スプリング４０は、ベースプレート２０とスライドプレート３０との間で弾性力を付勢できるものであれば特に種類は限定されないが、本実施形態ではトーションスプリングを用いている。
【００２６】
このスプリング４０の一方のアーム部４１は、スプリングピン２５によりベース本体部２１に固定されている。また、スプリング４０の他方のアーム部４２は、スプリングピン３６がピン固定孔３７に固定されることにより、後述するスライドプレート３０に固定される。よって、スプリング４０はベースプレート２０とスライドプレート３０との間に配設された構成となる。
【００２７】
スライドプレート３０は金属板材をプレス成型したものであり、スライド本体部３１、開口部３２、ガイド取り付け部３４Ｌ，３４Ｒ、カム取り付け部３５Ｌ，３５Ｒ、及び当接部３８等を有している。このスライドプレート３０は、電子装置１の表示部３に固定される（図３（Ｂ）参照）。
【００２８】
スライド本体部３１は略長方形状を有しており、その略中央部分には開口部３２が形成されている。この開口部３２は、スプリング４０が配設される部位である。また、開口部３２の図中Ｂ２で示す方向側の端部には、スライドプレート３０のストッパーとして機能する当接部３８が形成されている（これについては、後述する）。
【００２９】
また、スライド本体部３１の短辺側の両側縁には、ガイド取り付け部３４Ｌ，３４Ｒ及びカム取り付け部３５Ｌ，３５Ｒが一体的に形成されている。このガイド取り付け部３４Ｌ，３４Ｒは、スライド本体部３１の短辺側の両端部を略コの字形状に折り曲げ形成したものである。このガイド取り付け部３４Ｌ，３４Ｒには、スライドガイド３３Ｌ，３３Ｒが装着される。
【００３０】
スライドガイド３３Ｌ，３３Ｒは、耐久性が高く、かつ滑り性の良好な樹脂によりなる樹脂成形品である。また、スライドガイド３３Ｌ，３３Ｒの各内側位置には、図１におけるＹ１，Ｙ２方向に延在する溝部３９Ｌ，３９Ｒが形成されている。このスライドガイド３３Ｌ，３３Ｒは、ガイド取り付け部３４Ｌ，３４Ｒに取り付けられる。この取り付け方法は特に限定されるものではなく、係止部を設けて係止しても、接着剤を用いて固定しても、更にはスライドプレート３０のプレス加工時に一体的に設ける構成としてもよい。
【００３１】
カム取り付け部３５Ｌ，３５Ｒは、スライド本体部３１の短辺側の両端部から下方に延出形成されている。このカム取り付け部３５Ｌ，３５Ｒには、カム部材６０Ｌ，６０Ｒが固定される。本実施形態では、カム部材６０Ｌ，６０Ｒに挿通孔６４Ｌ，６４Ｒが形成されており、固定ネジ６５Ｌ，６５Ｒを挿通孔６４Ｌ，６４Ｒに挿通し、カム取り付け部３５Ｌ，３５Ｒに形成されたネジ孔に螺着することにより、カム部材６０Ｌ，６０Ｒをカム取り付け部３５Ｌ，３５Ｒに固定する構成としている。
【００３２】
しかしながら、カム部材６０Ｌ，６０Ｒの固定ネジ６５Ｌ，６５Ｒへの固定は、カム取り付け部３５Ｌ，３５Ｒにかしめ部を形成し、このかしめ部によりカム部材６０Ｌ，６０Ｒをカム取り付け部３５Ｌ，３５Ｒに固定してもよく、また接着剤を用いて固定する構成としてもよい。
【００３３】
カム部材６０Ｌ，６０Ｒは、耐久性が高く、かつ滑り性の良好な樹脂により形成されている。このカム部材６０Ｌ，６０Ｒは、略三角形状を有したカム本体部６１Ｌ，６１Ｒに係合凹部６２Ｌ，６２Ｒ、傾斜面６３Ｌ，６３Ｒ、及び挿通孔６４Ｌ，６４Ｒが一体的に形成された構成とされている。
【００３４】
係合凹部６２Ｌ，６２Ｒは後述する係合ピン７０Ｌ，７０Ｒと係合する凹部であり、略三角形状とされたカム本体部６１Ｌ，６１Ｒの一頂角に形成されている。この係合凹部６２Ｌ，６２Ｒは、ガイド取り付け部３４Ｌ，３４Ｒの側部に位置するよう設けられている。また係合凹部６２Ｌ，６２Ｒは、カム本体部６１Ｌ，６１Ｒの図中矢印Ｂ１で示す方向側の端部に形成されている。この図中矢印Ｂ１で示す方向は、スプリング４０によりスライドプレート３０がベースプレート２０に対して付勢される方向と同一方向である。なお、図中矢印Ｂ１，Ｂ２方向は、後述するスライドプレート３０のスライド方向である。
【００３５】
傾斜面６３Ｌ，６３Ｒは、カム本体部６１Ｌ，６１Ｒの下面に形成された傾斜面である。この傾斜面６３Ｌ，６３Ｒは、図中矢印Ｂ２方向に向けてカム本体部６１Ｌ，６１Ｒが幅広となるような傾斜面とされている。
【００３６】
ヒンジ機構５０Ｌ，５０Ｒは、スタンド１１Ｌ，１１Ｒとベースプレート２０を回転可能に接続させるものである。このヒンジ機構５０Ｌ，５０Ｒは、ヒンジピン５１Ｌ，５１Ｒ、スペーサ５２Ｌ，５２Ｒ、及びクリックプレート５３Ｌ，５３Ｒ等により構成されている。
【００３７】
次に、開閉装置１０の組み立て方法について説明する。
【００３８】
開閉装置１０を組み立てるには、まずスタンド１１Ｌ，１１Ｒとベースプレート２０とを接続する。この際、スタンド１１Ｌ，１１Ｒには予め係合ピン７０Ｌ，７０Ｒを取り付けておく。
【００３９】
スタンド１１Ｌ，１１Ｒとベースプレート２０の接続は、前記のようにヒンジ機構５０Ｌ，５０Ｒを用いて行う。ヒンジ機構５０Ｌ，５０Ｒを用いてスタンド１１Ｌ，１１Ｒとベースプレート２０を接続するには、まずアーム部２３Ｌ，２３Ｒとスタンド１１Ｌ，１１Ｒとの間にスペーサ５２Ｌ，５２Ｒを挟み込む。そして、この状態においてスタンド１１Ｌ，１１Ｒの軸孔１４Ｌ，１４Ｒと、アーム部２３Ｌ，２３Ｒの軸孔２４Ｌ，２４Ｒとの軸合わせ（位置決め）を行う。
【００４０】
この位置決めが終了すると、軸孔２４Ｌ，２４Ｒ、スペーサ５２Ｌ，５２Ｒ、及び軸孔１４Ｌ，１４Ｒに対し、内側から外側に向けてヒンジピン５１Ｌ，５１Ｒを挿通させる。そして、ヒンジピン５１Ｌ，５１Ｒの軸孔１４Ｌ，１４Ｒから外側に突出した先端部に、クリックプレート５３Ｌ，５３Ｒを固定する。
【００４１】
これにより、ベースプレート２０及びこれに取り付けられたスライドプレート３０は、ヒンジ機構５０Ｌ，５０Ｒによりスタンド１１Ｌ，１１Ｒに対して回転可能に軸承させた構成となる。また、ヒンジ機構５０Ｌ，５０Ｒは、いわゆるフリーストップのヒンジであり、スタンド１１Ｌ，１１Ｒに対してベースプレート２０を任意の回転角度で保持することができる。
【００４２】
なお、ヒンジ機構５０Ｌ，５０Ｒは必ずしもフリーストップのヒンジとする必要はなく、例えばスタンド１１Ｌ，１１Ｒに溝等を形成することにより、開位置と閉位置、また開位置から閉位置との間の所定角度においてクリック感を発生させる構成としてもよい。
【００４３】
次に、スライドプレート３０の作製を行う。なお、このスライドプレート３０の作製は、上記したベースプレート２０をスタンド１１Ｌ，１１Ｒに配設する処理と並行して行ってもよい。
【００４４】
スライドプレート３０を作製するには、スライドガイド３３Ｌ，３３Ｒをガイド取り付け部３４Ｌ，３４Ｒに取り付けると共に、カム部材６０Ｌ，６０Ｒをカム取り付け部３５Ｌ，３５Ｒに固定する。また、開口部３２の図中Ｂ２方向の端部に当接部３８を配設する。
【００４５】
続いて、スプリング４０を開口部３２内に位置させ、スプリング４０の一方のアーム部４２をスプリングピン３６を用いてスライドプレート３０に固定する。スライドプレート３０にはピン固定孔３７が形成されており、スプリングピン３６をピン固定孔３７に嵌入することにより、スプリング４０のアーム部４２はスライドプレート３０に固定される。
【００４６】
上記のようにスライドプレート３０が作製されると、続いてスライドガイド３３Ｌ，３３Ｒの溝部３９Ｌ，３９Ｒに対しガイドレール部２２Ｌ，２２Ｒを挿入する。ガイドレール部２２Ｌ，２２Ｒとスライドガイド３３Ｌ，３３Ｒは、スライド可能な構成とされている。よって、スライドプレート３０はベースプレート２０に対してスライド可能に取り付けられた状態となる。
【００４７】
また、スライドプレート３０をベースプレート２０に配設する際、スライドプレート３０に取り付けられているスプリング４０の他方のアーム部４１をスプリングピン２５を用いてベースプレート２０に固定する。これにより、スプリング４０はベースプレート２０とスライドプレート３０との間に配設され、両者２０，３０間で弾性力を付勢する。
【００４８】
スプリング４０は、スライドプレート３０をベースプレート２０に対して外側（矢印Ｂ１方向）に向け弾性力を付勢する。このスプリング４０の弾性力により、スライドプレート３０はベースプレート２０に対してＢ１方向にスライドしようとする。しかしながら、スライドプレート３０に形成された当接部３８が、ベースプレート２０に固定されたスプリングピン２５と当接することにより、スライドプレート３０のそれ以上のスライドが規制される構成となっている。
【００４９】
以上の処理により、開閉装置１０は組み立てられる。なお、上記した組み立て方法では、スタンド１１Ｌ，１１Ｒにベースプレート２０を取り付けた後に、ベースプレート２０に対してスライドプレート３０を取り付ける方法を示した。しかしながら、スライドプレート３０をベースプレート２０に取り付けた後に、このベースプレート２０をスタンド１１Ｌ，１１Ｒに取り付けることも可能である。
【００５０】
次に、上記構成とされた開閉装置１０の動作について、図２〜図６を用いて説明する。
【００５１】
図４は開閉装置１０の動作を示す側面図であり、図５は開閉装置１０が配設された電子装置１の動作を示す側面図であり、図６はカム部材６０Ｌ，６０Ｒの配設位置を拡大して示す斜視図である。
【００５２】
図３、図４（Ａ）、図５（Ａ）、及び図６（Ａ）は、スタンド１１Ｌ，１１Ｒに対してベースプレート２０が閉じられた閉状態を示している。この時、ベースプレート２０（スライドプレート３０）は、図中矢印Ａ２方向に回転しており、側面視でスタンド１１Ｌ，１１Ｒ、ベースプレート２０、スライドプレート３０は重なった状態となっている（図４（Ａ）参照）。なお、以下の説明において、この閉状態におけるスライドプレート３０の位置を閉位置というものとする。
【００５３】
また閉状態では、スライドプレート３０はスプリング４０の弾性力に抗して図中矢印Ｂ２方向にスライドしている。ベースプレート２０とスライドプレート３０の外形は、平面視（図中、矢印Ｚ２方向に見た状態）で略等しい形状とされている。よって、閉状態でスライドプレート３０がＢ１方向にスライドすることにより、スライドプレート３０はベースプレート２０と重なった状態となる。なお、以下の説明において、閉状態におけるスライドプレート３０の位置を第１の位置というものとする。
【００５４】
また閉状態では、カム部材６０Ｌ，６０Ｒ（請求項に記載の第２の部材、及び係合部材に相当する）に形成された係合凹部６２Ｌ，６２Ｒは、図６に拡大して示すように、スタンド１１Ｌ，１１Ｒに形成された係合ピン７０Ｌ，７０Ｒ（請求項に記載の第１の部材及び請求項に記載の係合凸部に相当する）と係合するよう構成されている。よって、スプリング４０の弾性力によりスライドプレート３０がＢ１方向に付勢されていても、カム部材６０Ｌ，６０Ｒが係合ピン７０Ｌ，７０Ｒに当接することにより、スライドプレート３０のＢ１方向への移動は規制されている。なお、係合凹部６２Ｌ，６２Ｒ及び係合ピン７０Ｌ，７０Ｒは、請求項に記載の移動規制機構を構成する。
【００５５】
係合凹部６２Ｌ，６２Ｒは、円柱状の係合ピン７０Ｌ，７０Ｒの形状に対応して断面半円形状の凹部とされているため、係合状態において係合凹部６２Ｌ，６２Ｒと係合ピン７０Ｌ，７０Ｒとは確実に係合する。また、スプリング４０の弾性力により、カム部材６０Ｌ，６０Ｒの係合凹部６２Ｌ，６２Ｒは係合ピン７０Ｌ，７０Ｒに押圧される。このため、閉状態において外部から衝撃等が印加されても、カム部材６０Ｌ，６０Ｒと係合ピン７０Ｌ，７０Ｒとが離脱するようなことはない。このため、衝撃が印加されても表示部３が装置本体２から動くことはなく、電子装置１の信頼性を向上させることができる。
【００５６】
図５（Ａ）は、閉状態における電子装置１を示している。この閉状態において、表示部３は装置本体２に形成された表示部収納部４内に収納されている。表示部３の図中矢印Ｙ１，Ｙ２の寸法は、装置本体２の図中矢印Ｙ１，Ｙ２の寸法と略等しく設定されている。これにより表示部３の形状を大きくすることができ、よって液晶ディスプレイ５も大型化のものを用いることができる。また、表示部３が装置本体２に収納された状態において、装置本体２と表示部３との間に段差や間隙が形成されることがないため、デザイン性の向上を図ることができる。
【００５７】
なお、この閉状態における装置本体２のコーナー部（図中、矢印Ｐ１で示す）と、表示部３のコーナー部（図中、矢印Ｐ２で示す）に注目すると、各コーナー部Ｐ１，Ｐ２は近接した状態となっている。
【００５８】
開閉装置１０を上記した閉状態から開状態とするには、カム部材６０Ｌ，６０Ｒの係合凹部６２Ｌ，６２Ｒが係合ピン７０Ｌ，７０Ｒを乗り越え可能な力でベースプレート２０及びスライドプレート３０をスタンド１１Ｌ，１１Ｒに対してＡ１方向に回転させる。図４（Ｂ）は、カム部材６０Ｌ，６０Ｒが係合ピン７０Ｌ，７０Ｒから離脱する直前の状態を示している。
【００５９】
この係合凹部６２Ｌ，６２Ｒが係合ピン７０Ｌ，７０Ｒを乗り越える際、スライドプレート３０はベースプレート２０に対して若干量（係合凹部６２Ｌ，６２Ｒの窪み量分）だけ図中矢印Ｂ２方向に移動する。しかしながら、ベースプレート２０とスライドガイド３３Ｌ，３３Ｒの図中矢印Ｂ２方向端部に設けられた凸部との間には、この移動量に対応したクリアランスが予め設けられており、これにより上記のスライドプレート３０の移動は許容される。
【００６０】
図４（Ｃ）、図５（Ｂ）、及び図６（Ｂ）は、ベースプレート２０及びスライドプレート３０を更にＡ１方向に回転させることにより、係合凹部６２Ｌ，６２Ｒが係合ピン７０Ｌ，７０Ｒから離脱した状態を示している。係合凹部６２Ｌ，６２Ｒが係合ピン７０Ｌ，７０Ｒから離脱することにより、係合ピン７０Ｌ，７０Ｒによるスライドプレート３０の図中矢印Ｂ１方向に対する移動規制は解除される。
【００６１】
このように係合凹部６２Ｌ，６２Ｒと係合ピン７０Ｌ，７０Ｒとの係合が解除されることにより、スライドプレート３０はベースプレート２０に対してＢ１方向にスライドする。この際、図４（Ｃ），（Ｄ）に示すように、係合ピン７０Ｌ，７０Ｒは相対的にカム部材６０Ｌ，６０Ｒの傾斜面６３Ｌ，６３Ｒ上を摺動する。
【００６２】
そして、図４（Ｅ）に示すようにカム部材６０Ｌ，６０Ｒが係合ピン７０Ｌ，７０Ｒから完全に離脱した状態になると、スライドプレート３０の開口部３２の一部を構成する当接部３８（図１，図２（Ａ），図３（Ａ）参照）がスプリングピン２５と当接し、これによりベースプレート２０に対するスライドプレート３０のＢ１方向のスライドが規制される。以下、このスライドプレート３０のＢ１方向への移動限界位置を第２の位置というものとする。
【００６３】
スライドプレート３０が第２の位置にスライドした状態では、スライドプレート３０はベースプレート２０に対して図中矢印Ｌで示す長さだけ突出した状態となっている。また、スライドプレート３０には表示部３が取り付けられているため、スライドプレート３０のスライドに伴い表示部３もＢ１方向に距離Ｌだけスライドする。
【００６４】
図５（Ｃ）は、カム部材６０Ｌ，６０Ｒが係合ピン７０Ｌ，７０Ｒから完全に離脱した状態の電子装置１を示している。同図において装置本体２のコーナー部Ｐ１及び表示部３のコーナー部Ｐ２に注目すると、上記のように表示部３がスライドプレート３０と共にスライドすることにより、コーナー部Ｐ２も閉状態の位置に比べて距離ＬだけＢ１方向に移動している。即ち、スライドプレート３０がスライドすることにより、装置本体２のコーナー部Ｐ１と表示部３のコーナー部Ｐ２との離間距離は閉状態に比べて大きく離間した状態となっている。
【００６５】
この状態から更に表示部３をＡ１方向に回転させると、ベースプレート２０はヒンジピン５１Ｌ，５１Ｒを中心としてスタンド１１Ｌ，１１Ｒに対して回転し、これに伴い表示部３も装置本体２に対して回転する。図５（Ｄ）は、閉位置に対してベースプレート２０が約135°回転した状態を示している。
【００６６】
スライドプレート３０がベースプレート２０に対して図中矢印Ｂ１方向にスライドし第２の位置に移動した後は、スライドプレート３０は第２の位置を維持した状態で回転する。従って、装置本体２のコーナー部Ｐ１と表示部３のコーナー部Ｐ２も、離間した状態を維持して回転を行う。
【００６７】
このため、本実施形態のように表示部３の図中矢印Ｙ１，Ｙ２方向の長さを装置本体２のＹ１，Ｙ２方向の長さと略等しくした構成としても、表示部３が装置本体２に対して回転する際にコーナー部Ｐ２がコーナー部Ｐ１と当接するようなことはない。よって、装置本体２に対する表示部３の開き動作を円滑に行うことができる。
【００６８】
図５（Ｅ）は、開状態における電子装置１を示している。この開状態において、表示部３に設けられた液晶ディスプレイ５は正面側（図中、Ｚ２方向側が正面側となる）に向いた状態となっており、よっていわゆる自分撮りを行うことができる。なお、以下の説明において、開状態におけるベースプレート２０の位置を開位置というものとする。
【００６９】
次に、開閉装置１０のベースプレート２０を開位置から閉位置に向け回転させる時の動作について説明する。
【００７０】
なお、ベースプレート２０を開位置から閉位置に向け回転する時の動作は、上記したベースプレート２０を閉位置から開位置に向け移動の逆の動作になる。このため、
ベースプレート２０の開位置から閉位置に向かう動作の説明は、先に閉位置から開位置に向けた動作説明に使用した図４及び図５を利用して説明するものとする。
【００７１】
図３及び図５（Ｅ）に示す開状態から、表示部３及びベースプレート２０（スライドプレート３０）を閉位置に移動するには、表示部３及びベースプレート２０を図中矢印Ａ２方向に移動させる。これに伴い、図５（Ｄ），（Ｃ）に示すように表示部３及びベースプレート２０は閉位置に向かい回転する。この際、スライドプレート３０は第２の位置（矢印Ｂ１方向にスライドした位置）を維持しており、よって各コーナー部Ｐ１，Ｐ２は離間した状態を維持しているため、開位置から閉位置に向け表示部３が移動する際も各コーナー部Ｐ１，Ｐ２が当接するようなことはない。
【００７２】
表示部３及びベースプレート２０が所定量だけ回転すると、スライドプレート３０に固定されているカム部材６０Ｌ，６０Ｒはスタンド１１Ｌ，１１Ｒに設けられている係合ピン７０Ｌ，７０Ｒと係合する。図４（Ｄ）及び図５（Ｂ）は、カム部材６０Ｌ，６０Ｒが係合ピン７０Ｌ，７０Ｒと係合した直後の状態を示している。図４（Ｄ）に示されるように、まず係合ピン７０Ｌ，７０Ｒはカム部材６０Ｌ，６０Ｒに形成された傾斜面６３Ｌ，６３Ｒの下端部と係合する。
【００７３】
図４（Ｄ）に示され状態から、更に表示部３及びベースプレート２０を図中矢印Ａ２方向に加点させると、係合ピン７０Ｌ，７０Ｒは傾斜面６３Ｌ，６３Ｒ上を相対的に移動する。具体的にはね係合ピン７０Ｌ，７０Ｒは傾斜面６３Ｌ，６３Ｒを上方に向けて相対的に移動する。
【００７４】
このように、係合ピン７０Ｌ，７０Ｒが傾斜面６３Ｌ，６３Ｒを上方に向けて相対的に移動することにより、カム部材６０Ｌ，６０Ｒは図中矢印Ｂ２方向に向けて移動付勢させる。よってこの時、係合ピン７０Ｌ，７０Ｒはスライドプレート３０を第２の位置から第１の位置に向けて移動付勢する移動付勢部材として機能し、傾斜面６３Ｌ，６３Ｒはカムとして機能する。また、係合ピン７０Ｌ，７０Ｒと傾斜面６３Ｌ，６３Ｒは、請求項に記載の移動付勢機構を構成する。
【００７５】
更に表示部３及びベースプレート２０を図中矢印Ａ２方向に加点させると、係合ピン７０Ｌ，７０Ｒはカム部材６０Ｌ，６０Ｒに形成された係合凹部６２Ｌ，６２Ｒ内に進入し、係合ピン７０Ｌ，７０Ｒは係合凹部６２Ｌ，６２Ｒに係合する。この状態において、ベースプレート２０は閉位置に回転しており、スライドプレート３０は第１の位置にスライドしており、また表示部３も装置本体２の表示部収納部４に収納される位置まで移動している。即ち、係合ピン７０Ｌ，７０Ｒと係合凹部６２Ｌ，６２Ｒとが係合することにより，図１、図４（Ａ）、図５（Ａ）に示すように電子装置１及び開閉装置１０は閉状態となる。
【００７６】
上記のように、本実施形態に係る開閉装置１０では、表示部３及びベースプレート２０を閉位置から開位置に向け移動させる時は、表示部３及びベースプレート２０を図中矢印Ａ１方向に移動させ係合凹部６２Ｌ，６２Ｒと係合ピン７０Ｌ，７０Ｒとの係合を解除させることによりスライドプレート３０は自動的に第１の位置から第２の位置にスライドし、これに伴い表示部３は各コーナー部Ｐ１，Ｐ２が当接しない位置に移動する。
【００７７】
また、表示部３及びベースプレート２０を開位置から閉位置に向け移動させる時は、係合ピン７０Ｌ，７０Ｒが傾斜面６３Ｌ，６３Ｒ（カム部材６０Ｌ，６０Ｒ）上を相対的に移動することにより、スライドプレート３０は第２の位置から第１の位置に自動的にスライドし、これに伴い表示部３も閉位置に移動する。
【００７８】
よって、単に表示部３及びベースプレート２０を開位置と閉位置との間で移動させるだけで、表示部３及びスライドプレート３０を自動的に第１の位置と第２の位置との間でスライドさせることができる。
【００７９】
また、スライドプレート３０が第２の位置に移動した後は、装置本体２と表示部３は各コーナー部Ｐ１，Ｐ２が離間した状態を維持して回転するため、表示部３の形状を大きく設定しても、装置本体２と表示部３とが当接（衝突することを確実に防止することができる。
【００８０】
また、本実施形態に係る開閉装置１０では、ベースプレート２０はスタンド１１Ｌ，１１Ｒに対して一つのヒンジピン５１Ｌ，５１Ｒを中心として回転するため、例えば平行二軸ヒンジ等を用いた構成に比べ、１アクションで開閉操作を行うきことが可能となり操作性の向上を図ることができると共に、表示部３及びベースプレート２０の回転を安定して行わせることができる。
【００８１】
図７は、上記した実施形態に係る開閉装置１０の変形例である開閉装置８０を示している。なお、図７において前記した実施形態では、図１〜図６に示した構成と対応する構成については同一符号を付し、その説明は省略する。
【００８２】
上記した実施形態に係る開閉装置１０は、スタンド１１Ｌ，１１Ｒに係合ピン７０Ｌ，７０Ｒを設けると共にスライドプレート３０にカム部材６０Ｌ，６０Ｒを設けた構成とした。これに対して本変形例では、スタンド１１Ｌ，１１Ｒにカム部材６０Ｌ，６０Ｒを設けると共に、スライドプレート３０に係合ピン７０Ｌ，７０Ｒを設けた構成としたことを特徴とするものである。このように、スタンド１１Ｌ，１１Ｒ及びスライドプレート３０に対するカム部材６０Ｌ，６０Ｒ及び係合ピン７０Ｌ，７０Ｒの配設位置を交換しても、同様の効果を得ることができる。
【００８３】
また、上記した実施形態では、スタンド１１Ｌ，１１Ｒ（或いはスライドプレート３０）と係合ピン７０Ｌ，７０Ｒとを別体とし、係合ピン７０Ｌ，７０Ｒをスタンド１１Ｌ，１１Ｒ（或いはスライドプレート３０）に取り付ける構成した。しかしながら、スタンド或いはスライドプレートと係合ピンは必ずしも別箇にする必要はなく、スタンド或いはスライドプレートのプレス加工時に、絞り加工若しくはバーリング加工を行うことにより係合ピンを設ける構成としてもよい。
【００８４】
また、上記した実施形態及び変形例ではスライドプレート３０に形成したカム取り付け部３５Ｌ，３５Ｒにカム部材６０Ｌ，６０Ｒを固定する構成を示したが、カム取り付け部３５Ｌ，３５Ｒに係合凹部６２Ｌ，６２Ｒ及び傾斜面６３Ｌ，６３Ｒに対応する構成を付加することにより、カム部材６０Ｌ，６０Ｒを省略することも可能である。
【００８５】
更に、上記した実施形態では図中矢印Ｘ１方向及びＸ２方向の双方の位置にカム部材６０Ｌ，６０Ｒ及び係合ピン７０Ｌ，７０Ｒを設けた構成とした。しかしながら、カム部材と係合ピンとの円滑な摺動動作が行われ、かつスライドプレートのスタンドへの係止が片側のみで確実に行われる場合には、必ずしもカム部材及び係合を図中矢印Ｘ１方向及びＸ２方向の双方に配設する必要はなく、いずれか一方にのみ設けた構成とすることも可能である。
【００８６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００８７】
例えば、上記実施形態では、スタンド１１Ｌ，１１Ｒに対してスライドプレート３０が180°回転した位置を開位置としたが、開位置は本実施形態で示した位置に限定されるものではなく、スタンド１１Ｌ，１１Ｒに対するベースプレート２０の任意の位置を開位置に設定することができる。
【００８８】
更に、スタンドを複数のリンクが接続した構成とすることも可能である。この場合、係合ピンは複数のリンクのいずれかに配設することとなる。スタンドを複数のリンクで構成することにより、スタンドに対するベースプレートの回転動作の自由度を高めることができ、よってスライドプレート（液晶ディスプレイ）のスタンドに対する角度設定の自由度も向上させることができる。
【符号の説明】
【００８９】
１  電子装置
２  装置本体
３  表示部
４  表示部収納部
５  液晶ディスプレイ
１０，８０  開閉装置
１１Ｌ，１１Ｒ  スタンド
２０  ベースプレート
２１  ベース本体部
２２Ｌ，２２Ｒ  ガイドレール部
２３Ｌ，２３Ｒ  アーム部
２４Ｌ，２４Ｒ  軸孔
２５  スプリングピン
３０  スライドプレート
３１  スライド本体部
３２  開口部
３３Ｌ，３３Ｒ  スライドガイド
３４Ｌ，３４Ｒ  ガイド取り付け部
３５Ｌ．３５Ｒ  カム取り付け部
３６  スプリングピン
３７  ピン固定孔
３８  当接部
４０  スプリング
４１，４２  アーム部
５０Ｌ，５０Ｒ  ヒンジ機構
５１Ｌ，５１Ｒ  ヒンジピン
６０Ｌ，６０Ｒ  カム部材
６１Ｌ，６１Ｒ  カム本体部
６２Ｌ，６２Ｒ  係合凹部
６３Ｌ，６３Ｒ  傾斜面
７０Ｌ，７０Ｒ  係合ピン
【図１】
2014085645.tif 000003
【図２】
2014085645.tif 000004
【図３】
2014085645.tif 000005
【図４】
2014085645.tif 000006
【図５】
2014085645.tif 000007
【図６】
2014085645.tif 000008
【図７】
2014085645.tif 000009